(57)【特許請求の範囲】
【請求項１】
縫目形成の終わりの最終針から２針前の被縫物に対する縫いにより第１の糸ループを形成し、
この第１の糸ループに、最終針から１針前の針糸をくぐらせて第２の糸ループを形成し、
この第２の糸ループに、最終針の針糸をくぐらせて第３の糸ループを形成する環縫いの縫目形成の終わりにおいて、
第２の糸ループの糸長さを長くすることにより、前記第３の糸ループとともに前記第１の糸ループを牽引して前記第２の糸ループにくぐらせて糸を締めて形成する環縫いの結び目形成方法。
【請求項２】
前記第１の糸ループを形成した針落ち位置からその後の最終針までの各針落ち位置は、何れも所定の小間隔をあける請求項１に記載の環縫いの結び目形成方法。
【請求項３】
上下動する１本針と回転式ルーパとの協動により環縫いを形成する環縫いミシンであって、
糸ループの１本の糸を捕捉、解放でき、捕捉時は糸ループを所定位置に保持する糸保持手段を備え、
この糸保持手段は、最終針から２針前の被縫物に引き寄せられる第１の糸ループを捕捉し、最終針の針落ちに際し、前記第１の糸ループの次の第２の糸ループが被縫物に引き寄せられる前に解放する、環縫いミシン。
【請求項４】
上下動する１本針と回転式ルーパとの協動により環縫いを形成する環縫いミシンであって、
前記１本針側への糸供給量を調節する糸供給量調節手段を備え、
この糸供給量調節手段は、最終針の針落ちにより形成される糸ループ及び最終針の２針前の針落ちにより形成される第１の糸ループ形成の際の糸供給量より、最終針の１針前の針落ちにより形成される第２の糸ループ形成の際の糸供給量を大きくする、環縫いミシン。
【請求項５】
前記糸供給量調節手段は、
前記１本針側への針糸の供給を調節し、前記回転式ルーパに捕捉されている前記第２の糸ループが糸くぐりしている状態の前記第１の糸ループと被縫物との間に所定間隔の隙間を形成する針糸調節手段を備え、
この隙間の形成により最終針の２針前の針落ち位置と前記第１の糸ループを糸寄せしているときの前記糸寄せの位置との間隔を調節するものである、請求項４に記載の環縫いミシン。
【請求項６】
前記針糸調節手段は、
針糸供給側の糸経路に設けられている糸調子の針糸への張力を調節する糸調子調節手段を備え、
この張力調節により、前記回転式ルーパに捕捉されている前記第２の糸ループが糸くぐりしている状態の前記第１の糸ループと針板との間に所定間隔の隙間を形成する、請求項５に記載の環縫いミシン。
【請求項７】
前記針糸調節手段は、
針糸供給側の糸経路に設けられている糸案内の位置を調節する糸案内調節手段を備え、
この位置調節により、前記回転式ルーパに捕捉されている前記第２の糸ループが糸くぐりしている状態の前記第１の糸ループと針板との間に所定間隔の隙間を形成する、請求項５に記載の環縫いミシン。
【請求項８】
上下動する１本針と回転式ルーパとの協動により環縫いを形成する環縫いミシンであって、
最終針の１針前の針落ち位置とこの針落ちで形成された第２の糸ループを捕捉している前記回転式ルーパの位置との間隔を調節する間隔調節手段を備え、
この間隔調節により最終針の１針前の針落ち位置とルーパとの間隔を大きくして前記第２の糸ループの糸長さを長くすることにより、最終針の２針前の針落ちにより形成された第１の糸ループを最終針の針落ちで形成される第３のループとともに牽引して前記第２の糸ループにくぐらせて糸締めされた結び目を形成する、環縫いミシン。
【請求項９】
前記間隔調節手段は、
前記回転式ルーパの位置を移動するルーパ位置移動手段を備え、
この位置移動により前記の間隔調節を行うものである、請求項８に記載の環縫いミシン。
【請求項１０】
前記ルーパ位置移動手段は、
前記回転式ルーパをそのルーパ軸と直交する方向に移動するものである、請求項９に記載の環縫いミシン。
【請求項１１】
上下動する１本針、回転式ルーパ及び糸寄せの協動により環縫いを形成する環縫いミシンであって、
最終針の１針前の針落ち位置と最終針の２針前の針落ちにより形成される第１の糸ループを糸寄せしているときの前記糸寄せの位置との間隔を調節する間隔調節手段を備え、
この間隔の調節により前記第１の糸ループを大きく形成して前記第２の糸ループにゆとりを持たせ、前記第１の糸ループを最終針の針落ちで形成される第３のループとともに牽引して前記第２の糸ループにくぐらせて糸締めされた結び目を形成する、環縫いミシン。
【請求項１２】
被縫物を保持して移動することにより針落ち位置を位置決めする位置決め手段を備えていて、
前記間隔調節手段は、最終針の２針前の針落ち側から最終針の１針前の針落ち側に前記糸寄せを移動して前記第１の糸ループを糸寄せし、且つ、前記回転式ルーパで最終針の２針前の針落ち側から最終針の１針前の針落ち側へと針糸を捕捉して前記第２の糸ループを形成することにより、前記糸寄せにより形成される前記第１の糸ループの大きさを調節して、最終針の１針前の針落ち位置と前記第１の糸ループを糸寄せしているときの前記糸寄せの位置との間隔を調節するものである、請求項１１に記載の環縫いミシン。
【請求項１３】
前記間隔調節手段は、
前記位置決め手段による針落ち位置の位置決めにより、前記糸寄による前記糸寄せ動作及び前記回転式ルーパによる前記針糸捕捉動作を行う、請求項１２に記載の環縫いミシン。
【請求項１４】
前記間隔調節手段は、
前記糸寄せの動作の調節により前記糸寄せ動作を行い、前記回転式ルーパの形状及びその回転方向により前記針糸捕捉動作を行う、請求項１２に記載の環縫いミシン。
【請求項１５】
前記間隔調節手段は、
前記第１の糸ループを糸寄せしているときの前記糸寄せの位置を調節して、この糸寄せにより前記第１の糸ループの大きさを調節することにより、最終針の２針前の針落ち位置と前記第１の糸ループを糸寄せしているときの前記糸寄せの位置との間隔を調節するものである、請求項１１に記載の環縫いミシン。
【請求項１６】
前記１本針より針糸供給側に配置され、この針糸を係止するニッパと、
このニッパと前記１本針との間の針糸を手繰る糸手繰り手段とを備えている、請求項３又は請求項４に記載の環縫いミシン。
【請求項１７】
前記第１の糸ループを形成した針落ち位置からその後の最終針までの各針落ち位置に、何れも所定の小間隔をあける針落ち位置調節手段を備えている、請求項３又は請求項４に記載の環縫いミシン。
【発明の詳細な説明】
【０００１】
【発明の属する技術分野】
この発明は、環縫いの最後に形成される結び目がほつれにくい環縫いの結び目形成方法、及びこのような結び目を形成する環縫いミシンに関する。
【０００２】
【従来の技術】
図８５は、単環縫いボタン付けミシンにより形成される従来の糸の結び目を示しており、この結び目形式はＪＩＳ（日本工業規格）−Ｌ−０１２０に規定されたクラス記号１０１、１０７に該当するものである。
【０００３】
図８５に示すように、糸２０１による布２０２にボタン２０３が単環縫いで縫い付けられている。ボタン付け縫いの最終段階は、最終針（最終の縫い目）の二つ前の縫目形成時に形成される第１のループ２０４に最終針の一つ前の縫目形成時に形成される第２のループ２０５をくぐらせ、糸端部２０６を第２のループ２０５にくぐらせている。上記糸端部２０６は、最終針の形成時に形成された第３のループ（図示せず）が所定の糸切り刃により切断されて形成されたものである。
【０００４】
この状態で糸端部２０６が矢示Ａ方向に引っ張られても結び目は解けることはない。
【０００５】
【発明が解決しようとする課題】
しかしながら、上記の単環縫いの結び目では、図８６に示すように、糸端部２０６が第２のループ２０５から抜けてしまうと、糸端部２０６が矢示Ｂ方向に引っ張られることにより、図８７にしめすように、第２のループ２０５は第１のループ２０６から簡単に抜けてしまい、さらに糸端部２０６が引っ張られると全てのループがほぐれて、布２０２とボタン２０３が分離してしまうという重大な品質問題が生じていた。
【０００６】
この発明の目的は、結び目部分の糸端部が引っ張られても容易にほどけることのない環縫いの結び目形成方法及びこのような結び目を形成できる環縫いミシンを提供することにある。
【０００７】
また、この発明の別の目的は、さらに、結び目部分の糸端部が引っ張られても容易にほどけることなく、また、被縫物から大きくはみ出すことのない環縫いの結び目形成方法及びこのような結び目を形成できる環縫いミシンを提供することにある。
【０００８】
さらに、この発明の別の目的は、結び目部分の糸端部が引っ張られても容易にほどけることのない環縫いミシンを簡易な手段で実現することにある。
【０００９】
【課題を解決するための手段】
（１）請求項１に記載の発明は、
縫目形成の終わりにおいて最終針から２針前の被縫物に対する縫いにより形成される第１の糸ループが、次の縫いにより形成される第２の糸ループで締結された結び目を形成する環縫いの結び目形成方法である。
【００１０】
請求項１に記載の環縫いの結び目形成方法によれば、糸端部が最初に抜けるのは第１の糸ループであって、従来のように第２の糸ループではないため、かかる抜けが生じても第１の糸ループに糸端がくぐった状態となる（図１４参照）。
【００１１】
また、最終針から２針前からの針落ち位置が同じであれば、糸端部に最も近い糸ループから糸端部が抜けても、従来の端環縫いの結び目となる（図１５参照）。
【００１２】
従って、これらの状態で糸の端部が肌などと擦れるなどして引っ張られても、容易に糸がほどけることのない結び目を形成できる。
【００１３】
なお、この明細書において、「最終針」とはどの針落ちを意味するかについて念のため説明する。
【００１４】
すなわち、従来より縫目形成の終わりにおいて連続する２回の針落ちで形成される第１及び第２の糸ループで結び目を形成している。そして、この第１及び第２の糸ループ形成にあずかる連続する２回の針落ちに次ぐ針落ちで形成される糸ループを所定の糸切り装置により糸切りして最終的に結び目が完成する。
【００１５】
この明細書でいう「最終針」とは、前記の第１及び第２の糸ループ形成にあずかる連続する２回の針落ちに次ぐ針落ち（従来技術において、所定の糸切りがなされる糸ループの形成に関わり、後記する各発明の実施の形態においても所定の糸切りがされる第３の糸ループの形成に関わっている）を意味する。
【００１６】
従って、例えば、前記の第１及び第２の糸ループ形成にあずかる連続する２回の針落ちに次ぐ針落ちの後、更に１回針落ちを行った場合にも、「最終針」とは、第１及び第２の糸ループ形成にあずかる連続する２回の針落ちに次ぐ針落ちである。
【００１７】
（２）特に、請求項１に記載の発明では、
縫目形成の終わりの最終針から２針前の被縫物に対する縫いにより第１の糸ループを形成し、
この第１の糸ループに、最終針から１針前の針糸をくぐらせて第２の糸ループを形成し、
この第２の糸ループに、最終針の針糸をくぐらせて第３の糸ループを形成する環縫いの縫目形成の終わりにおいて、
第２の糸ループの糸長さを長くすることにより、前記第３の糸ループとともに前記第１の糸ループを牽引して前記第２の糸ループにくぐらせて糸を締めて結び目を形成する。
【００１８】
すなわち、第２の糸ループの糸長さを長くすることにより、第３の糸ループとともに第１の糸ループを牽引して第２の糸ループにくぐらせて糸を締めて結び目を形成することが可能となる。また、第２の糸ループを手繰って第１の糸ループに被せて糸を締めるようにしてもよい。
【００１９】
（３）請求項２に記載の発明は、
前記第１の糸ループを形成した針落ち位置からその後の最終針までの各針落ち位置は、何れも所定の小間隔をあける請求項１に記載の環縫いの結び目形成方法である。
【００２０】
この発明にいう「所定の小間隔」とは、被縫物が布であるなら、例えば、織糸１本分、あるいは、２本分程度の間隔でよい。
【００２１】
請求項２に記載の環縫いの結び目形成方法によれば、請求項１に記載の発明と同様の作用、効果を奏する。
【００２２】
また、被縫物における最終針から２つ前の針落ち位置と１つ前の針落ち位置には所定の小間隔が空けられ、被縫物における最終針から１つ前の針落ち位置から被縫物に引き付けられた状態で結び目は被縫物側に支持されるので、結び目は被縫物面から突出せず、結び目が目立たないきれいな縫い上がりとなる（図２０参照）。
【００２３】
（４）請求項３に記載の発明は、
上下動する１本針と回転式ルーパとの協動により環縫いを形成する環縫いミシンであって、
糸ループの１本の糸を捕捉、解放でき、捕捉時は糸ループを所定位置に保持する糸保持手段を備え、
この糸保持手段は、最終針から２針前の被縫物に引き寄せられる第１の糸ループを捕捉し、最終針の針落ちに際し、前記第１の糸ループの次の第２の糸ループが被縫物に引き寄せられる前に解放する、環縫いミシンである。
【００２４】
請求項３に記載の環縫いミシンによれば、糸保持手段が第１の糸ループの一本の糸を捕捉して所定位置で保持するから、第２の糸ループが被縫物に引き寄せられる前に解放すれば、従来より第２の糸ループ部分の糸長さにゆとりをもたせることが可能となるから、第１の糸ループを第２の糸ループ内に牽引して糸を締め、この第２の糸ループで第１の糸ループが締結された結び目を形成することができるから、請求項１に記載の発明と同様の作用、効果を奏する。
【００２５】
（５）請求項４に記載の発明は、
上下動する１本針と回転式ルーパとの協動により環縫いを形成する環縫いミシンであって、
前記１本針側への糸供給量を調節する糸供給量調節手段を備え、
この糸供給量調節手段は、最終針の針落ちにより形成される糸ループ及び最終針の２針前の針落ちにより形成される第１の糸ループ形成の際の糸供給量より、最終針の１針前の針落ちにより形成される第２の糸ループ形成の際の糸供給量を大きくする、環縫いミシンである。
【００２６】
請求項４に記載の環縫いミシンによれば、糸供給量調節手段が最終針の針落ちにより形成される糸ループ及び最終針の２針前の針落ちにより形成される第１の糸ループ形成の際の糸供給量より、最終針の１針前の針落ちにより形成される第２の糸ループ形成の際の糸供給量を大きくするから、第２の糸ループ形成の際に糸にゆとりが生まれ、（回転式ルーパにより最下点まで手繰られた）第２の糸ループと被縫物との間に所定の隙間が形成され、従来より第２の糸ループ部分の糸長さにゆとりをもたせることが可能となるから、第１の糸ループを第２の糸ループ内に牽引して糸を締め、この第２の糸ループで第１の糸ループが締結された結び目を形成することができ、請求項１に記載の発明と同様の作用、効果を奏する。
【００２７】
（６）この請求項４に記載の環縫いミシンとしては、具体的には、
前記糸供給量調節手段は、
前記１本針側への針糸の供給を調節し、前記回転式ルーパに捕捉されている前記第２の糸ループが糸くぐりしている状態の前記第１の糸ループと被縫物との間に所定間隔の隙間を形成する針糸調節手段を備え、
この隙間の形成により最終針の２針前の針落ち位置と前記第１の糸ループを糸寄せしているときの前記糸寄せの位置との間隔を調節するものである、請求項４に記載の環縫いミシンとすることができる（請求項５）。
【００２８】
この請求項５に記載の環縫いミシンによれば、第１の糸ループと針板との間に所定間隔の隙間を形成することにより、最終針の針落ちにより形成される糸ループ及び第１の糸ループの形成の際の糸供給量より、第２の糸ループ形成の際の糸供給量を大きくすることができるので、請求項４に記載の発明と同様の作用、効果を奏する。
【００２９】
（７）この請求項５に記載の環縫いミシンとしては、具体的には、
前記針糸調節手段は、
針糸供給側の糸経路に設けられている糸調子の針糸への張力を調節する糸調子調節手段を備え、
この張力調節により、前記回転式ルーパに捕捉されている前記第２の糸ループが糸くぐりしている状態の前記第１の糸ループと被縫物との間に所定間隔の隙間を形成する、請求項５に記載の環縫いミシンとすることができる（請求項６）。
【００３０】
請求項６に記載の環縫いミシンによれば、針糸供給側の糸経路に設けられている糸調子の針糸への張力を所定のタイミングで弱め又は解放することにより、回転式ルーパに捕捉されている前記第２の糸ループをゆるめ、第１の糸ループと針板との間に所定間隔の隙間を形成することができるので、請求項５に記載の環縫いミシンと同様の作用、効果を奏することができる。
【００３１】
（８）前記請求項５に記載の環縫いミシンの他の例としては、
前記針糸調節手段は、
針糸供給側の糸経路に設けられている糸案内の位置を調節する糸案内調節手段を備え、
この位置調節により、前記回転式ルーパに捕捉されている前記第２の糸ループが糸くぐりしている状態の前記第１の糸ループと被縫物との間に所定間隔の隙間を形成する、請求項５に記載の環縫いミシンとすることができる（請求項７）。
【００３２】
請求項７に記載の環縫いミシンによれば、針糸供給側の糸経路に設けられている糸案内位置を所定方向に所定タイミングで移動することにより、回転式ルーパに捕捉されている前記第２の糸ループをゆるめ、第１の糸ループと被縫物との間に所定間隔の隙間を形成することができるので、請求項５に記載の環縫いミシンと同様の作用、効果を奏することができる。
【００３３】
（９）請求項８に記載の発明は、
上下動する１本針と回転式ルーパとの協動により環縫いを形成する環縫いミシンであって、
最終針の１針前の針落ち位置とこの針落ちで形成された第２の糸ループを捕捉している前記回転式ルーパの位置との間隔を調節する間隔調節手段を備え、
この間隔調節により最終針の１針前の針落ち位置とルーパとの間隔を大きくして前記第２の糸ループの糸長さを長くすることにより、最終針の２針前の針落ちにより形成された第１の糸ループを最終針の針落ちで形成される第３のループとともに牽引して前記第２の糸ループにくぐらせて糸締めされた結び目を形成する、環縫いミシンである。
【００３４】
請求項８に記載の環縫いミシンによれば、最終針の１針前の針落ち位置と第２の糸ループを捕捉している回転式ルーパの位置との間隔を所定に調節して、従来の環縫いミシンに比べて第２の糸ループ部分の糸長さに所定量のゆとりをもたせることができ、もって、第１の糸ループを最終針の針落ちで形成される第３のループとともに牽引して第２の糸ループにくぐらせて糸締めされた結び目を形成することが可能となるから、請求項１に記載の環縫いの結び目形成方法と同様の作用、効果を奏することができる。
【００３５】
（１０）この請求項８に記載の環縫いミシンの例としては、例えば、
前記間隔調節手段は、
前記回転式ルーパの位置を移動するルーパ位置移動手段を備え、
この位置移動により前記の間隔調節を行うものである、請求項８に記載の環縫いミシンとすることができる（請求項９）。
【００３６】
（１１）この請求項９に記載の環縫いミシンの他の例として、
前記ルーパ位置移動手段は、
前記回転式ルーパをそのルーパ軸と直交する方向に移動するものである、請求項９に記載の環縫いミシンとすることができる（請求項１０）。
【００３７】
この例の他に、回転式ルーパの位置移動方向は、ルーパ軸方向などとしてもよい。
【００３８】
（１２）請求項１１に記載の発明は、
上下動する１本針、回転式ルーパ及び糸寄せの協動により環縫いを形成する環縫いミシンであって、
最終針の１針前の針落ち位置と最終針の２針前の針落ちにより形成される第１の糸ループを糸寄せしているときの前記糸寄せの位置との間隔を調節する間隔調節手段を備え、
この間隔の調節により前記第１の糸ループを大きく形成して前記第２の糸ループにゆとりを持たせ、前記第１の糸ループを最終針の針落ちで形成される第３のループとともに牽引して前記第２の糸ループにくぐらせて糸締めされた結び目を形成する、環縫いミシンである。
【００３９】
請求項１１に記載の環縫いミシンによれば、最終針の１針前の針落ち位置と、第１の糸ループを糸寄せしているときの糸寄せの位置との間隔を調節することにより、糸寄せによる第１の糸ループのたわみの大きさを従来の環縫いミシンより大きくして、従来の環縫いミシンに比べて第２の糸ループ部分の糸長さに所定量のゆとりをもたせることができ、もって、第１の糸ループを最終針の針落ちで形成される第３のループとともに牽引して第２の糸ループにくぐらせて糸締めされた結び目を形成することが可能となるから、請求項１に記載の環縫いの結び目形成方法と同様の作用、効果を奏することができる。
【００４０】
また、後記するように、請求項３に記載の環縫いミシンにおける「糸保持手段」のような所定の結び目を形成するための特別の部材を必要とせず、既存の部材を用いて可能となるので、請求項１に記載の結び目を形成できる環縫いミシンを、簡易な手段で実現することができる（後記する請求項１２〜１４に記載の発明の説明参照）。
【００４１】
（１３）請求項１１に記載の発明の例として、
被縫物を保持して移動することにより針落ち位置を位置決めする位置決め手段を備えていて、
前記間隔調節手段は、
最終針の２針前の針落ち側から最終針の１針前の針落ち側に前記糸寄せを移動して前記第１の糸ループを糸寄せし、且つ、前記回転式ルーパで最終針の２針前の針落ち側から最終針の１針前の針落ち側へと針糸を捕捉して前記第２の糸ループを形成することにより、前記糸寄せにより形成される前記第１の糸ループの大きさを調節して、最終針の１針前の針落ち位置と前記第１の糸ループを糸寄せしているときの前記糸寄せの位置との間隔を調節するものである、請求項１１に記載の環縫いミシンとすることができる（請求項１２）。
【００４２】
環縫いにおいては、針と回転式ルーパの相対的位置関係は一義的に定まり、回転式ルーパと糸寄せとの相対的位置関係も同様である。また、回転式ルーパの回転方向と糸寄せの移動方向も一義的に定まる（同方向側とする）。このようにしないと縫目を形成できないからである。
【００４３】
そして、従来の環縫いミシンでは、糸寄せを最終針の１針前の針落ち側から最終針の２針前の針落ち側に移動して第１の糸ループを糸寄せしている。また、回転式ルーパで最終針の１針前の針落ち側から最終針の２針前の針落ち側へと針糸を捕捉して第２の糸ループを形成している。
【００４４】
これに対し、請求項１２に記載の環縫いミシンによれば、最終針の２針前の針落ち側から最終針の１針前の針落ち側に糸寄せを移動して第１の糸ループを糸寄せする。これに対応して、回転式ルーパの剣先で最終針の２針前の針落ち側から最終針の１針前の針落ち側へと針糸を捕捉して第２の糸ループを形成するようにして、環縫いの縫目の形成を可能としている。
【００４５】
そして、被縫物を保持して移動することにより針落ち位置を位置決めするので、第２の糸ループを回転式ルーパで捕捉するにあたり、針及び回転式ルーパは最終針の２針前の針落ち位置から１針前の針落ち位置に移動していて、最終針の２針前の針落ち位置から１針前の針落ち位置に移動した糸寄せで第１の糸ループは糸寄せされる。このときの最終針から１針前の針落ち位置と第１の糸ループを糸よせしているときの糸寄せの位置との間隔は従来に比べて大きくなり、この糸寄せにより形成される第１の糸ループのたわみは従来に比べて大きくなる。
【００４６】
これにより、第１の糸ループが被縫物側に引き付けられて形成される第２の糸ループ部分の糸長さに所定量のゆとりをもたせ、もって、第１の糸ループを第２の糸ループ内に牽引して糸締めすることを可能とし、第２の糸ループで第１の糸ループが締結された結び目を形成することが可能となる。
【００４７】
（１４）この請求項１２に記載の発明のより具体的な例としては、第１に、
前記間隔調節手段は、
前記位置決め手段による針落ち位置の位置決めにより、前記糸寄による前記糸寄せ動作及び前記回転式ルーパによる前記針糸捕捉動作を行う、請求項１２に記載の環縫いミシンとすることができる（請求項１３）。
【００４８】
より具体的に、この請求項１３の環縫いミシンを実現するかについて説明すると、針、回転式ルーパ及び糸寄せの構成、動作は従来同様にし、第２の糸ループ形成に際して、最終針から１針前の針落ち位置から２針前の針落ち位置まで被縫物を移動して、最終針から１針前の針落ちと、この針落ちに伴う回転式ルーパや糸寄せの動作とを従来どおりの動作で行うことにより、最終針の２針前の針落ち側から最終針の１針前の針落ち側に糸寄せを移動して第１の糸ループを糸寄せし、これに対応して、回転式ルーパで最終針の２針前の針落ち側から最終針の１針前の針落ち側へと針糸を捕捉して第２の糸ループを形成することが可能となる（発明の実施の形態８参照）。
【００４９】
この例は、従来の最終針から１針前の針落ち位置と２針前の針落ち位置とを入れ換えるだけで、その他の構成を従来の環縫いミシンと同様にして実現することができる。このような針落ち位置の位置決めのための被縫物の移動は、例えば、ボタン付けミシンであれば、所定の前後送りカム及び左右送りカムによりボタンクランプの動作をいかようにも調節できるので、前記両カムのカム形状の選択だけで可能となる。
【００５０】
従って、この請求項１３に記載の発明の例では、請求項３に記載の発明のように、所定の結び目を形成するために新たに特別の手段を必要とせず、環縫いのための既存の部材のみで簡易に実現することができる。
【００５１】
（１５）前記請求項１２に記載の発明のより具体的な例としては、第２に、
前記間隔調節手段は、
前記糸寄せの動作の調節により前記糸寄せ動作を行い、前記回転式ルーパの形状及びその回転方向により前記針糸捕捉動作を行う、請求項１２に記載の環縫いミシンとすることができる（請求項１４）。
【００５２】
より具体的に、この請求項１２の環縫いミシンを実現するかについて説明すると、回転式ルーパの形状を従来のものと左右対象形に形成し、このルーパの回転方向も従来のものと逆にする。糸寄せの移動の経路や方向は回転式ルーパの位置と回転方向により一義的に定まり、これも従来のものとは左右対象形になるようにする。これにより、前記第１の例とは異なり、最終針から１針前の針落ち位置と２針前の針落ち位置とは従来のままで、最終針の２針前の針落ち側から最終針の１針前の針落ち側に糸寄せを移動して第１の糸ループを糸寄せし、これに対応して、回転式ルーパで最終針の２針前の針落ち側から最終針の１針前の針落ち側へと針糸を捕捉して第２の糸ループを形成することが可能となる（発明の実施の形態９参照）。
【００５３】
この請求項１４の環縫いミシンでも、請求項３に記載の発明のように、所定の結び目を形成するために新たに特別の手段を必要とせず、環縫いのための既存の部材のみで簡易に実現することができる。
【００５４】
（１６）また、請求項１１に記載の発明の他の例として、
前記間隔調節手段は、
前記第１の糸ループを糸寄せしているときの前記糸寄せの位置を調節して、この糸寄せにより前記第１の糸ループの大きさを調節することにより、最終針の２針前の針落ち位置と前記第１の糸ループを糸寄せしているときの前記糸寄せの位置との間隔を調節するものである、請求項１１に記載の環縫いミシンとすることができる（請求項１５）。
【００５５】
請求項１５に記載の環縫いミシンによれば、第１の糸ループを糸寄せしているときの糸寄せの位置を調節して、最終針の２針前の針落ち位置と第１の糸ループを糸寄せしているときの前記糸寄せの位置との間隔を大きくし、これにより従来の環縫いミシンに比べて第２の糸ループ部分の糸長さに所定量のゆとりをもたせ、もって、第１の糸ループを第２の糸ループ内に牽引して糸締めすることを可能とし、第２の糸ループで第１の糸ループが締結された結び目を形成することが可能となるから、請求項１に記載の環縫いの結び目形成方法と同様の作用、効果を奏することができる。
【００５６】
また、請求項３に記載の発明のように、所定の結び目を形成するために新たに特別の手段を必要とせず、環縫いのための既存の部材のみで簡易に実現することができる。
【００５７】
（１７）請求項１６に記載の発明は、
前記１本針より針糸供給側に配置され、この針糸を係止するニッパと、
このニッパが針糸を係止した状態で前記ニッパと前記１本針との間の針糸を手繰る糸手繰り手段と、を備えている請求項３又は請求項４に記載の環縫いミシンである。
【００５８】
請求項１６に記載の環縫いミシンによれば、請求項３又は請求項４に記載の発明と同様の作用、効果を奏するほか、第１の糸ループに、従来よりゆとりがあることによる糸のたわみを引き取り、結び目を締結するのに支障がない。
【００５９】
（１８）請求項１７に記載の発明は、
前記第１の糸ループを形成した針落ち位置からその後の最終針までの各針落ち位置に、何れも所定の小間隔をあける針落ち位置調節手段を備えている請求項３又は請求項４に記載の環縫いミシンである。
【００６０】
請求項１７に記載の環縫いミシンによれば、第１の糸ループを形成した針落ち位置からその後の最終針までの各針落ち位置に、何れも所定の小間隔をあけることができるので、請求項２に記載の発明と同様の作用、効果を奏することができる。
【００６１】
【発明の実施の形態】
〔発明の実施の形態１〕
まず、構成について説明する。
【００６２】
図１、図２は、この発明の実施の形態１にかかる単環縫いボタン付けミシンの斜視図である。同図は、便宜上、この単一の単環縫いボタン付けミシンを２つの図面に分割して示しており、破線Ａ及びＡ´、破線Ｂ及びＢ´及び破線Ｃ及びＣ´は便宜上分離した状態を示している。
【００６３】
図１を参照して、符号１０はベルトであり、図示しない駆動源の回転力を駆動プーリ１１に伝達する。駆動プーリ１１は、駆動軸１２に回動自在に支持されており、駆動軸１２には、遮断カム１３、偏心カム１４、はすば歯車１５及び糸切りカム１６が固定されている。
【００６４】
符号２０は図示しないミシンフレームに回動自在に支持された遮断フレームで、この遮断フレーム２０の先端部には、クッション部材２１を介して遮断フック２２が矢示Ｄ方向に摺動自在に設けられ、その先端部２２ａが遮断カム１３のカム部１３ａに係止されている。
【００６５】
遮断フレーム２０の支点２０ａには遮断軸２３が固定されていて、遮断軸２３の他端には遮断制御腕２４が固定されている。
【００６６】
はすば歯車１５には、はすば歯車３０が噛み合っている。このはすば歯車３０はルーパ軸３１に固定されている。このルーパ軸３１の一端には回転式ルーパ３２が固定され、他端にはウオーム３３が固定されている。
【００６７】
このウオーム３３に噛み合わされているウオームギア４０はカム軸４１に固定されていて、このカム軸４１には、左右送りカム４３、前後送りカム４４及び遮断制御カム４５が固定されていて、遮断制御カム４５のカム部４５ａに遮断制御腕２４の尾端部に取り付けられた、ころ２５が当接する。左右送りカム４３の溝部４３ａ、前後送りカム４４の溝部４４ａには、それぞれ図示しない別個のピンが係合し、溝部４３ａ、４４ａの形状に沿った当該ピンの動きを、リンク機構（周知であるため、詳細な説明は省略する）を介して伝達し、ボタンクランプ５０（図２参照）を水平方向に移動せしめ、ボタンクランプ５０に挟持されたボタンに対する針落ち位置を調節する。
【００６８】
偏心カム１４にはクランクロッド６０の一端が連結されていて、他端は、図示しないミシンフレームに回動自在に固定された針駆動レバ６１に回動自在に連結され、針駆動レバ６１の一端に設けられた針棒６２には針６３が設けられている。
【００６９】
カム軸４１の一端には糸結びカム７０が取り付けられ、この糸結びカム７０にはカム面７０ａが張り出している。符号７１はミシンフレーム（図示せず）に回動自在に取り付けられた糸結び腕で、この糸結び腕７１は、一端が糸結びカム７０のカム面７０ａに当接するように、ばね７２により回転力が付勢されている。糸結び腕７１の他端側には長孔７１ａが形成され、リンク７３の一端に形成されたころ７３ａが長孔７１ａに嵌入されている。
【００７０】
図２を参照して、リンク７３の他端は、レバ７６、リンク７７を介して、糸結び板７５の基端部に連結されている。糸結び板７５は針板７４上に回動自在に固定されている。糸結び板７５の尾端部には、糸掛け部７８が形成されている。
【００７１】
図１を参照して、図示しないミシンフレームに固定された軸８０に回動自在に固定された二又ロッド８１の二又部には、糸切りカム１６に嵌入されていて、この二又ロッド８１のフック部８１ａを備えている。
【００７２】
前記遮断軸２３にはロッド８２の上端が固定され、ロッド８２の下端にはリンク８３の一端が回動自在に連結され、リンク８３の他端には引き上げ板８４の下端が回動自在に固定され、この引き上げ板８４にはフック部８４ａが形成されている。
【００７３】
図２を参照して、ミシンフレーム（図示せず）に回動自在に支持された三角板８５にはカム部８５ａ、溝部８５ｂが形成され、カム部８５ａには、引き上げ板８４の上端、リンク９０の上端及び引き上げレバー８３１の一端を同軸上に支持する軸体（図示しない）が嵌入されている。前記リンク９０の下端にＬ字形状のリンク９１の一端が回転自在に連結され、リンク９１の他端にはリンク９２の一端を回転自在に連結する。前記リンク９１の中間部は、ミシンフレーム（図示せず）に固定した固定部材に対して回転自在に支持されている。前記リンク９２の他端は針板７４上に回転自在に支持された動メス９３に連結され、動メス９３の回転時に、動メス９３と噛み合うことにより糸を切断する固定メス９４が針板７４に固定されている。
【００７４】
図２、図３を参照して、前記三角板８５に形成された溝部８５ｂには、連結杆１００の一端に形成された折曲部１００ｃを摺動自在に嵌合して連結している。連結杆１００は、ミシンフレームに対して長手方向に摺動自在に支持され、連結杆１００の一部に設けた溝１００ａには、図示しないミシンフレームに回動自在に固定された糸調節レバ１０１のカム部１０１ａが嵌入している。
【００７５】
また、連結杆１００に固定されたバネ掛１００ｂと、図示しないミシンフレームに回動自在に固定されたニッパ１０２の所定のバネ掛部との間には、バネ１０３が掛渡されている。図示しないミシンフレームにはニッパー角駒１０４が回動自在に固定され、ニッパ１０２の押え部１０２ｂに当接する。また、糸調節レバー１０１には、糸手繰り腕１０５（糸手繰り手段）が調節可能に取り付けられている。この糸手繰り腕１０５は、後部が糸調整レバー１０１に取り付けられ、前部１０５ａ（糸係止部）がリング状である。符号１３０は糸係合部材で、両端突起部に糸を挿通する孔１３０ａ、１３０ａを有するとともに、ミシンフレームの糸経路に設けられている。そして、糸手繰り腕１０５は糸係合部材１３０の両端突起部間をＰ方向に揺動して糸経路を変更することにより、針６３とニッパ１０２との間の糸を手繰ることができる。
【００７６】
図１において、ルーパ軸３１の回転式ルーパ３２の近傍には、外周カム１１０及び溝カム１１１が固定されている。図示しないミシンフレームに固定されたガイド板１１２には手寄せ支え１１３が摺動自在に取り付けられ、二又部が外周カム１１０に嵌入されている。さらに、糸寄せ支え１１３には糸寄せ１１４が摺動自在に取り付けられている。糸寄せ１１４の一端には長孔を有し、ここに図示しないミシンフレームに回動自在に支持された前後腕１１５の一端に取り付けられた、ころ１１６が嵌入している。この、ころ１１６は溝カム１１１のカム部にも嵌入している。これにより、糸寄せ１１４は外周カム１１０及び溝カム１１１により決められた平面運動を行うことができる。
【００７７】
次に、作用について説明する。
【００７８】
図１〜図３を参照して、起動レバ（図示せず）を踏むと、遮断フレーム２０がＥ方向に回動し、遮断フック２２とカム部１３ａとの係合が解除され、同時に図示しない遮断機構により、駆動プーリ１１と駆動軸１２とが連結し、Ｆ方向に回動を始める。
【００７９】
これにより、カム軸４１もＧ方向に回動し、遮断制御カム４５のカム部４５ａに遮断制御腕２４の、ころ２５が乗り上げ、前述の起動レバから足を離しても、遮断フック２２が反Ｅ方向に回動できなくなり、駆動軸１２の回転は持続する。
【００８０】
偏心カム１４の回動により、クランクロッド６０を介して針駆動レバ６１が揺動し、針棒６２は、上下方向に往復動する。これと、ルーパ軸３１の先端に取り付けられたルーパ３２のＫ方向の回動、さらに、糸寄せ１１４の動作の協動により、単環縫いが形成される。
【００８１】
すなわち、このような動作と、左右送りカム４３、前後送りカム４４の回転によるボタンクランプ５０の動きにより布１２０上のボタン１２１のボタン孔に所定の順序で針６３がボタン孔に落ちて単環縫いが形成される。
【００８２】
遮断制御カム４５のカム部４５ａに、ころ２５がさしかかると、遮断フレーム２０は反Ｅ方向に回転し、遮断フック２２は遮断カム１３に当接する。このとき、図示しない遮断機構により、駆動プーリ１１と駆動軸１２の連係が解除され、この後、駆動軸１２は慣性力で回動し、遮断フック２２と遮断カム１３のカム部１３ａが当接して停止する。
【００８３】
また、遮断フレーム２０の回動により、遮断軸２３、ロッド８２、リンク８３を介して、引き上げ板８４のフック部８４ａが、二又ロッド８１のフック部８１ａと係合し、引き上げ板８４をＨ方向に動かす。これにより、三角板８５は、Ｌ方向に回動し、連結杆１００をＭ方向に動かして、糸調節レバ１０１をＮ方向に回動し、糸案内１０６との間の糸を繰出していく。また、ニッパ１０２もバネ１０３を介してＰ方向に回動し、ニッパ角駒１０４との間の糸を押さえていく。また、糸調節板１０１のカム部１０１ａにてニッパ１０２と針６３との間の糸を手繰る。
【００８４】
また、リンク９０、９１及び９２を介して動メス９３はＱ方向に回動し、固定メス９４と噛み合って糸切りを行う。
【００８５】
この動作に先だって、糸結びカム７０の凸部７０ａに糸結び腕７１の一端が乗り上げると、リンク７３、レバ７６、リンク７７を介して糸結び板７５をＲ方向に回転させ、所定の期間保持した後、凸部７０ａへの乗り上げが終ると、元の位置に戻る。また、糸結びカム７０はカム軸４１に対し回転方向に調整可能に固定されている。
【００８６】
以上、図１〜図３に沿って、発明の実施の形態１にかかるミシンの動作の概要について説明した。以下では、単環縫いによるボタン縫いの最終段階において、糸切りの行われたときの針落ち（最終針）前２針よりの縫目の形成状態、針６３、回転式ルーパ３２、糸寄せ１１４及び糸掛部７８の協動関係、位置関係について、段階を追って説明する。図４〜図１３は、この順に結び目の形成を段階を追って示すもので、いずれも、（Ａ）は断面図、（Ｂ）は斜視図である。
【００８７】
まず、最終針の２針前に針６３が最も上昇した位置での縫いの状態が図４である。符号１２２ａは最終針の２針前の針落ちによる針糸１２２をルーパ３２が捕捉した第１の糸ループである。次に、最終針の１針前の針落ち位置（別のボタンホール）上に針が位置したときに第１の糸ループ１２２ａをなす糸を一本、糸掛部７８（糸保持手段）で捕捉し（図５）、さらに、最終針の１針前の針落ちがなされ、この針糸１２２をルーパ３２が捕捉し始め、糸寄せ１１４が糸掛部７８の下部から糸寄せ１１４が片側に第１の糸ループ１２２ａを寄せ、糸掛部７８は所定位置で第１の糸ループを保持する（図６）。この状態では、糸がたわんで第１の糸ループ１２２ａを形成する糸長さが従来よりも長くなる。その後、針６３は上昇し、糸寄せ１１４が第１の糸ループ１２２ａから離れ、ルーパ３２が糸１２２を捕捉して第１の糸ループ１２２ａにくぐらせて第２の糸ループ１２２ｂを形成し、第１の糸ループはルーパ３２から離脱し、針６３は上昇する（図７）。
【００８８】
ここで、最終針が１針前の針落ちボタンホールと同一のボタンホールに落ち始め、第２の糸ループ１２２ｂを糸寄せ１１４が片側に寄せ、ルーパ３２が針糸１２２を補足し始める（図８）。次に、ルーパ３２が針糸１２２を第２のループ１２２ｂにくぐらせ始め、糸寄せ１１４は第２のループ１２２ｂから離れる（図９）。この後、糸掛部７８が第２の糸ループ１２２ｂが布１２０に引き寄せられる前に解放する。これにより、第２の糸ループ１２２ｂをくぐった第３の糸ループ１２２ｃが形成される（図１０）。
【００８９】
さらに、針６３は上昇し、第３のループ１２２ｃが引き下げられる（図１１）。前記のように、糸掛部７８が、第１のループ１２２ａの１本の糸を捕捉した状態で所定位置で保持して糸をたわめ、第２の糸ループ１２２ｂ部分の糸長さが従来より長いため、第３の糸ループ１２２ｃとともに第１の糸ループ１２２ａの端部１２２ａ１も牽引されて第２の糸ループ１２２ｂをくぐる（図１２）。このまま第３の糸ループ１２２ｃを引き下げ、第３の糸ループ１２２ｃが動メス９３、固定メス９４により切断されると、第１の糸ループ１２２ａの端部１２２ａ１が第２の糸ループ１２２ｂが形成する結び目部分１２２ｂ１により締結された結び目を形成することができる（図１３）。図１４を参照して、このように形成された結び目の糸の端部１２２ｄ（図１４（Ａ））は、従来のように、まず、第２のループ１２２ｂから抜けるのではなく、第１のループ１２２ａから抜ける（図１４（Ｂ））。この場合でも、第２のループから抜けた糸の端部１２２ｄは、第１のループ１２２ａをくぐり抜けた状態にある（図１４（Ｃ））。
【００９０】
従って、糸の端部が肌などと擦れるなどして引っ張られても、糸の端部１２２ｄが第１のループ１２２ａから抜けることはなく、容易に糸がほどけることはない結び目を形成できる。
【００９１】
また、従来から糸切りのときは、上記のミシンのように、糸調節レバ１０１が回動して多少針糸を引いている。この場合に、糸をニッパ１０２の押さえ部１０２ｂとニッパ角駒１０４で押さえている。これは縫い始めの糸のたるみを作っておくためであり、多少糸を引いておくだけであった。しかし、上記のように、糸掛部７８の動作により糸のたるみが従来の単環縫いミシンより大きい。そこで、糸の引きをより大きくするため、糸調節板１０１に糸手繰り腕１０５が取り付けられているので、ニッパ１０２により係止されていても針６３とニッパ１０２との間の糸を手繰ることができ、上記の構成によって糸のたるみが大きくても十分な引きを得ることができ、結び目を締めあげることができる。
【００９２】
なお、図１５（Ａ）は、最終針より２針前から最終針と同じ位置に針が降下した場合の縫目である。図１５（Ｂ）のように、ループ１２４ａから糸端部が抜けても、図１５（Ｃ）に示す従来の単環縫いの結び目となるので、上記の発明の実施形態１の縫目より解けにくい。
【００９３】
〔発明の実施の形態２〕
まず、構成について説明する。
【００９４】
発明の実施の形態２の単環縫いボタン付けミシンの構成は、大部分、上記発明の実施の形態１にかかる単環縫いボタン付けミシンと共通するため、以下の説明では、共通する部材には同一符号を付して説明する。
【００９５】
この実施の形態における縫いは、最終針から３針前の縫いをボタンホールのひとつに落して糸ループを形成し、次の縫いを他のボタンホールに落として、この糸ループをくぐらせた第１の糸ループを形成し、さらに次の縫いを同じボタンホール所定の小間隔（布の織り糸１、２本程度）ずらした位置に落として第１の糸ループをくぐらせた第２の糸ループを形成し、最終針を同じボタンホールに第１の糸ループの針落ち位置から所定の小間隔（布の織り糸１、２本程度）を空けて第３の糸ループを形成し、第１、第２の糸ループを締めて第３の糸ループを切断して、結び目を形成するものである。その際、第１の糸ループを糸掛部７８で所定位置で保持して、第１の糸ループに第２の糸ループをくぐらせている。
【００９６】
これらを実現するためには、図１〜図３に示した構成において、位置調節手段としての前後送りカム４３や左右送りカム４４の溝形状、糸結びカム７０の構成などを変更することで実現できる。また、この発明の実施の形態２では、糸手繰り腕１０５も設けられていない。その他の構成については発明の実施の形態１と同様であるため、詳細な図示や説明などは省略する。
【００９７】
次に、作用について説明する。
【００９８】
まず、結び目の形成について順を追って説明する。図１６〜図１８は、この順に結び目の形成について段階を追った説明図である。いずれも、（Ａ）は断面図、（Ｂ）は平面図である。まず、針６３とルーパ３２との協動により、ボタン１２１のひとつのボタンホールに最終針から３針前の針落ちにより、糸ループ１２３ａを形成し、次に、他のボタンホールに次の針（針落ち位置１２４）を落とし、第１の糸ループ１２３ｂを形成する（図１６）。
【００９９】
続いて、第１の糸ループ１２３ｂの１本の糸を糸掛部７８により所定位置で保持し、針落ち位置１２４と同じボタンホールで、針落ち位置１２４から所定の小間隔（布１２０の織り糸１、２本分程度）離れた位置に、次の針（針落ち位置１２５）を落とし、第２の糸ループ１２３ｃを形成する（図１７）。図１９は第１の糸ループ１２３ｂを捕捉した状態の糸結び板７５の平面図である。
【０１００】
次に、同じボタンホールに針落ち位置１２４から所定の小間隔（布１２０の織り糸１、２本分程度）離れた位置に、最終針を落し（針落ち位置１２５）、第２の糸ループ１２３ｃにくぐらせ、第３の糸ループ１２３ｄを形成する（図１８）。第３の糸ループ１２３ｄを切断して、第１、第２の糸ループからなる結び目が形成される（図２０）。
【０１０１】
この結び目の形成は、図１５に示した前記の結び目の変形と言ってもよく、針落ち位置を僅かにずらすことにより、ループ１２３ｅにより結び目が布１２０に引き付けられて支持されるので、結び目は布１２０の面から突出せず、結び目が目立たないきれいな縫い上がりとなる。
【０１０２】
なお、上記発明の実施の形態２においては、同じボタンホールにおいて、針落ち位置１２４から小間隔離れた位置に最終針（針落ち位置１２５）を落としたが、これに代えて、針落ち位置１２４と最終針とを同一位置にしても容易に糸が解けることのない結び目を形成することができる。
【０１０３】
〔発明の実施の形態３〕
上記発明の実施の形態１、２では、糸結び板７５により図１３に示すループ１２２ａを布１２０より、わずかに下がった位置に保持するようになっているが、上記発明の実施の形態１、２における糸結び板７５に代えて、天秤の引き上げを止めたり、逆に繰出したりすることにより、最終針の針落ちにより形成されるループ（図１３において図示せず）及びループ１２８ａ（第１の糸ループ）形成の際の糸供給量より、ループ１２８ｂ（第２の糸ループ）の形成の際の糸供給量を大きくしてループ１２２ａの位置を調節するようにしている。
【０１０４】
図２１は、その実現手段の一例で、天秤１０７と針６３との間に設けた糸押さえ装置１０８により、糸１２８を押さえて、天秤１０７による糸の引き下げ量を制御する手段や、天秤１０７により糸を引き上げきる前に、糸繰出し装置１０９により、糸１２８も針６３側に繰出す手段により、ループ１２８ａと布１２０との隙間ｌ（エル）を確保することができれば、次に形成されるループ１２８ｂを従来より大きくすることができるので、前記した発明の実施の形態１、２と同様の結び目を得ることができる。この発明の実施の形態３にかかる環縫いミシンは、糸結び板７５及びこの糸結び板７５を駆動する前記のリンク機構に代えて糸押さえ装置１０８や糸繰出し装置１０９を設ける点を除いて前記の発明の実施の形態１、２と同様の構成であるため、詳細な説明は省略する。
【０１０５】
〔発明の実施の形態４〕
図２２は、前記発明の実施の形態１の場合でボタン付けされたボタン１２１の平面図である。かかる例では、前後送りカム４３によりボタンクランプ５０を図２２に示すＸ方向に駆動し、左右送りカム４４によりボタンクランプ５０を図２２に示すＹ方向に駆動することで（図１、図２参照）、ボタン１２１をＸ−Ｙ方向に駆動しつつ針落ちして、図２２に示されている縫製パターンの縫目を形成している。
【０１０６】
図２３は、図２２の場合と同様のボタンホール４つのボタン１２１に対してＸ字形状の縫製パターン（以下では、「パターンＸ」という）の縫目を形成してボタン付けする場合を示している。なお、図２３において符号１、２、３、…１６は、針落ちの順番を示すものである（以下では、これをＮｏ．１、Ｎｏ．２、Ｎｏ．３、…Ｎｏ．１６のように表記する）。ボタン付けミシンでは縫製パターンへの変更は、前後送りカム４３の溝４３ａ及び（又は）左右送りカム４４の溝４４ａの形状を変更することで行えることは周知のとおりである。また、図２２の縫製パターンでは、最終針より２針前の針落ち後最終針より１針前の針落ち位置へのボタンの移動は、Ｘ方向への移動のみである。
【０１０７】
しかし、パターンＸの縫製を行う場合、従来のボタン付けミシンでは、最終針より２針前の針落ち（Ｎｏ．１４）後、最終針より１針前の針落ち位置（Ｎｏ．１５）にボタンを移動する場合、Ｘ方向の移動にＹ方向の移動が合成された斜め移動としている。このようにＹ方向の移動を伴うことにより、２針前の針落ち位置（Ｎｏ．１４）で形成される第１の糸ループ１２２ａがＹ方向に引き寄せられ、糸掛け部７８（糸捕捉手段）が第１の糸ループ１２２ａをなす糸を１本だけ捕捉すること（図５等参照）ができない。すなわち、第１の糸ループ１２２ａをなす糸をまったく捕捉できなかったり、第１の糸ループ１２２ａをなす両側の２本とも捕捉してしまったりする。
【０１０８】
そこで、この発明の実施の形態４では、最終針より２針前の針落ち（Ｎｏ．１４）後、最終針より１針前の針落ち位置（Ｎｏ．１５）にボタンを移動する場合のみ、従来のようにＸ方向、Ｙ方向の移動が合成された斜め移動とせずに、まず、Ｘ方向に所定変位量移動し、しかる後にＹ方向に所定変位量移動する構成とする。このような動きは、前後送りカム４３の溝４３ａの形状を、従来のパターンＸ用のものから変更することで実現することができる。その他の構成については発明の実施の形態１、２又は３と同様であるため、詳細な説明は省略する。
【０１０９】
このような構成とすることにより、最終針より２針前の針落ち（Ｎｏ．１４）後、最終針より１針前の針落ち位置（Ｎｏ．１５）へのボタン移動においては、まず、Ｘ方向へのボタン１２１の移動が終了するまでの間に、糸掛け部７８は第１の糸ループ１２２ａを捕捉する。従って、糸掛け部７８は第１の糸ループ１２２ａをなす糸を１本のみ正確に捕捉することができ、その後、Ｙ方向に移動しても糸の捕捉が外れることはない。図２３中の２点鎖線１３１は、このようなボタン１２１の動きによる、ボタン１２１上での針先の移動の軌跡を示すものである。
【０１１０】
なお、ボタン１２２に対する図２４に示すような縫製パターン（パターンＨ）、あるいは、ボタンホール２つのボタン１２９に対する図２５に示すような縫製パターン（パターンＩ）の場合では、最終針より２針前の針落ち後、最終針より１針前の針落ち位置へのボタン移動がＹ方向のみの変位となるが、かかる場合も前後送りカム４３の溝４３ａや、左右送りカム４４の溝４４ａの形状を変更することで、ボタンのＹ方向移動に先だって糸掛け部７８が第１の糸ループを捕捉するよう構成することで、前記パターンＸと共通する問題を解決することができる。
【０１１１】
〔発明の実施の形態５〕
まず、構成について説明する。
【０１１２】
図２６〜図２８は、前記発明の実施の形態１の機構を説明する図１〜図３に相当するものであり、図１〜図３と同一の符号で示す部材は、前記発明の実施の形態１と同様の部材であるため、詳細な説明は省略する。
【０１１３】
図２６、図２７に示すように、この発明の実施の形態５である単環縫いボタン付けミシンには、前記発明の実施の形態１における糸結びカム７０に代えて糸調節カム１３２が、カム軸４１に設けられている。また、糸結び腕７１、ばね７２、リンク７３、レバ７６、リンク７７及び糸結び板７５が設けられていない。代わりに、ミシンフレーム（図示省略）にねじ１３０ａにより回動可能に取り付けられたＬ型レバー１３０を備えている。
【０１１４】
このＬ型レバー１３０の一端側は、前記糸調節カム１３２のカム面１３２ａに当接可能である。また、他端側は、ばね１３１で付勢され、リンク１３３の一端側がねじ１３３ａで回動可能に取り付けられている。リンク１３３の他端側には、ねじ１３４ａによりＬ型リンク１３４の一端側が回動可能に取り付けられ、Ｌ型リンク１３４の他端側には、ねじ１３５ａにより皿浮かしリンク１３５の基端側が回動可能に取り付けられている。符号１３７は皿浮かしリンク１３５の動きを案内するガイド板である。
【０１１５】
符号１３６は、針糸の経路に設けられ、この針糸の張力を調節する糸調子であり、符号１３６ａは、糸調子１３６の糸調子皿である。
【０１１６】
次に、作用について説明する。
【０１１７】
図２６、図２８に示すように、回転式ルーパ３２が針糸を捕捉して第２の糸ループを形成するに際して、Ｌ型レバー１３０の一端側に糸調節カム１３２のノッチ１３２ａが当接し、Ｌ型レバー１３０が回動するすると、リンク１３３が矢示Ｃ１方向に引き上げられ、皿浮かしリンク１３５が矢示Ｃ２方向に移動して、その先端部１３５ｂが糸調子皿１３６ａ（従来周知のとおり、糸調子皿１３６ａは、ばねで付勢されて針糸に当接され、針糸に張力を与える）に差し込まれて、この糸調子皿１３６ａを開く。
【０１１８】
これにより、図２９に示すように、回転式ルーパ３２に捕捉されている第２の糸ループ１２８ｂをゆるめ、第１の糸ループ１２８ａと布１２０との間に、前記発明の実施の形態３と同様に（図２１参照）、所定間隔ｌの隙間を形成することができる。このように、第１の糸ループ１２８ａと布１２０との隙間ｌ（エル）を確保することができれば、次に形成される第２の糸ループ１２８ｂを従来より大きくすることができる。
【０１１９】
すなわち、前記発明の実施の形態３と同様に、第２の糸ループ１２８ｂを従来のものより大きくして、第１の糸ループ１２８ａや最終針で形成される糸ループより大きくすることができるから、前記発明の実施の形態１、２と同様の結び目を得ることができる。
【０１２０】
〔発明の実施の形態６〕
まず、構成について説明する。
【０１２１】
図３０は、この発明の実施の形態６にかかる単環縫いボタン付けミシンの機構を説明するものであり、同図において、図２６〜図２８と同一符号の部材は、前記発明の実施の形態５と同様の部材であるため、詳細な説明は省略する。また、この発明の実施の形態６において、図２６、図２７に示されている機構については前記発明の実施の形態５と同一であるため、図示及び詳細な説明は省略する。
【０１２２】
図３０に示すように、この単環縫いボタン付けミシンは、Ｌ型リンク１３４、皿浮かしリンク１３５及びガイド板１３７に代えて、レバー１４０、１４１を備えている。このレバー１４０、１４１は、各々、ねじ１４０ｂ、１４１ｂにより、軸中央部分でミシン頭部に回動可能に取り付けられている。
【０１２３】
レバー１４０の一端側はリンク１３３の一端側と、ねじ１４０ａで回動可能に取り付けられている。レバー１４０の他端側には、ねじ１４０ｃが取り付けられ、レバー１４１の一端側には長孔１４１ａが形成されている。前記ねじ１４０ｃは、この長孔１４１ａに摺動自在に嵌合されて、レバー１４０とレバー１４１は連結されている。レバー１４１の他端側には糸通しのための丸孔１４１ｃが形成されて、この他端部分は糸案内１４１ｄをなす。
【０１２４】
次に、作用について説明する。
【０１２５】
図３１に示すように、糸案内１４１ｄは、その丸孔１４１ｃに針糸１２８が糸通しされて、糸案内としての機能を果たす。
【０１２６】
また、回転式ルーパ３２が針糸を捕捉して第２の糸ループを形成するに際して、Ｌ型レバー１３０の一端側に糸調節カム１３２のノッチ１３２ａが当接し、Ｌ型レバー１３０が回動するすると、リンク１３３が矢示Ｃ１方向に引き上げられ、レバー１４０が図３０において反時計回りに回転し、これにより、レバー１４１が時計回りに回転し、糸案内１４１ｄが矢示Ｃ３方向に移動して、針糸をゆるめる。
【０１２７】
これにより、回転式ルーパ３２に捕捉されている第２の糸ループ１２８ｂをゆるめ、第１の糸ループ１２８ａと被縫物との間に、前記発明の実施の形態３と同様に（図２１参照）、所定間隔ｌの隙間を形成することができる。
【０１２８】
すなわち、前記発明の実施の形態３と同様に、第２の糸ループ１２８ｂを従来のものより大きくして、第１の糸ループ１２８ａや最終針で形成される糸ループより大きくすることができるから、前記発明の実施の形態１、２と同様の結び目を得ることができる。
【０１２９】
〔発明の実施の形態７〕
まず、構成について説明する。
【０１３０】
この発明の実施の形態７の単環縫いボタン付けミシンでは、図２６〜図２８に示す発明の実施の形態５の機構のうち、Ｌ型レバー１３０、ばね１３１、リンク１３３、Ｌ型リンク１３４、皿浮かしリンク１３５及びガイド板１３７が連結されて構成されている前記機構が設けられておらず、これらの機構に代えて、次のような機構が設けられている。なお、以下の説明で、図２６〜図２８と同一符号の部材は、前記発明の実施の形態５と同様の部材であり、詳細な説明は省略する。
【０１３１】
すなわち、図３２に示すように、ミシンフレーム（図示省略）に回動可能に軸支された軸１５０にはレバー１５１が固定され、このレバー１５１の基端側は、ばね１５２により付勢され、尾端側はカム１３２に当接している。また、軸１５０にはレバー１５３の基端部が固定されている。
【０１３２】
ルーパ軸３１には受板１５４が、ルーパ軸３１の外周を軸方向に摺動自在に取り付けられている。前記レバー１５３の尾端部は、この受板１５４に当接可能である。また、ルーパ軸３１の軸芯部分は中空に形成されていて、この中空にスライド軸１５５が摺動自在に挿通されている。スライド軸１５５の一端にはピン１５６が固定されており、ルーパ軸３１に形成された、長さ方向を軸方向とする長孔３１ａに挿通している。ピン１５６の先端部はルーパ軸３１外に突出していて、スライド軸１５５は、ピン１５６が受板１５４に常に係合するよう、矢示Ｘ１方向に、ばね１５７で付勢されている。レバー１５１の尾端側がカム１３２のノッチ１３２ａに当接すると、軸１５０、ひいてはレバー１５３が回動して、受板１５４、ピン１５６を介してスライド軸１５５を矢示Ｘ２方向に移動する。
【０１３３】
図３３、図３４に示すように、ルーパ軸３１のルーパ３２取付け側の先端には、取付け台１５８が固定されている。この取付け台１５８のルーパ３２取付け側には、溝部１５８ａが形成され、この溝部１５８ａ内には角駒１５９が摺動可能に嵌合している。また、取付け台１５８にはカバー１６０が取り付けられていて、角駒１５９の溝部１５８ａ内からの脱落を防止している。取付け台１５８には軸３１が挿通されて取り付けられる円筒状の孔１５８ｂが形成され、この孔１５８ｂに連続して、軸１５５が挿通するための円筒状の孔１５８ｃも形成されている。
【０１３４】
角駒１５９には円錐形の孔１５９ａが形成されていて、スライド軸１５５の先端に形成された円錐状の突部１５５ａが挿通している。そして、角駒１５９に回転式ルーパ３２の軸が固定されている。
【０１３５】
次に、作用について説明する。
【０１３６】
図３５に示すように、通常は円錐部１５５ａが孔１５９ａに係合しているため、回転式ルーパ３２の軸中心は、ルーパ軸３１の軸中心と合致している。ここで、レバー１５１がノッチ１３２ａと当接して、軸１５０、ひいてはレバー１５３が回転すると、受板１５４、ピン１５６を介して、スライド軸１５５が矢示Ｘ２方向に移動する。これにより、円錐部１５５ａと孔１５９ａとの係合が解かれ、この両者の間には隙間ｄができる。このとき、角駒１５９はルーパ軸３１の回転による遠心力で矢示Ｙ方向に摺動する。よって、ルーパ３２と角駒１５９の取付け位置の選択などにより、所望の方向に回転式ルーパ３２をオフセット運動させることができる。
【０１３７】
図３６〜図４４を参照して、前記した機構を用いて形成される結び目の形成過程を、段階を追って説明する。図３６〜図４４は、この図番順に結び目の形成を過程を段階を追って示すもので、いずれも、（Ａ）は断面図、（Ｂ）は斜視図である。
【０１３８】
まず、最終針の２針前に針６３が最も上昇した位置での縫いの状態が図３６である。符号１２２ａは最終針の２針前の針落ちによる針糸１２２をルーパ３２が捕捉した第１の糸ループである。次に、最終針の１針前の針落ち位置（別のボタンホール）上に針が移動して（図３７）、最終針の１針前の針落ちがなされ、この針糸１２２をルーパ３２が捕捉し始め、また、糸寄せ１１４が移動して第１の糸ループ１２２ａを糸寄せする（図３８）。ここまでの結び目の形成は、従来と同様である。
【０１３９】
その後、針６３は上昇し、糸寄せ１１４が第１の糸ループ１２２ａから離れ、ルーパ３２が糸１２２を捕捉して第１の糸ループ１２２ａにくぐらせて第２の糸ループ１２２ｂを形成し、第１の糸ループはルーパ３２から離脱し、針６３は上昇するのであるが、この第２の糸ループ１２２ｂの形成に際して、前記の機構により回転式ルーパ３２がオフセット運動を行う（図３９〔同図において、オフセット運動により回転式ルーパ３２が移動した位置を実線で示し、従来の回転式ルーパ３２の位置を２点鎖線で示している〕）。これにより、最終針から１針前の針落ち位置とルーパ３２との間隔を従来より大きくして、第２の糸ループ１２２ｂにゆとりをもたせることができる。
【０１４０】
そして、最終針が１針前の針落ちボタンホールと同一のボタンホールに落ち始め、第２の糸ループ１２２ｂを糸寄せ１１４が片側に寄せ、ルーパ３２が針糸１２２を捕捉し始める（図４０）。次に、ルーパ３２が針糸１２２を第２のループ１２２ｂにくぐらせ始め、糸寄せ１１４は第２のループ１２２ｂから離れる（図４１）。これにより、第２の糸ループ１２２ｂをくぐった第３の糸ループ１２２ｃが形成される（図４２）。
【０１４１】
さらに、針６３は上昇し、第３のループ１２２ｃが引き下げられる（図４３）。前記のように、第２の糸ループ１２２ｂ部分の糸長さが従来より長いため、第３の糸ループ１２２ｃとともに第１の糸ループ１２２ａの端部１２２ａ１も牽引されて第２の糸ループ１２２ｂをくぐる（図４４）。このまま第３の糸ループ１２２ｃを引き下げ、第３の糸ループ１２２ｃが動メス９３、固定メス９４により切断されると、第１の糸ループ１２２ａの端部１２２ａ１が第２の糸ループ１２２ｂが形成する結び目部分１２２ｂ１により締結された結び目を形成することができる（図１３参照）。
【０１４２】
なお、レバー１５１がノッチ１３２ａを乗り越えると、ばね１５７の弾性力により軸１５５の円錐部１５５ａが各駒１５９方向に移動して、孔１５９ａと係合することにより、ルーパ３２の回転中心軸線と軸３１の中心軸線とが合致して、ルーパ３２は所定のタイミングで元の位置に戻る。
【０１４３】
〔発明の実施の形態８〕
まず、構成について説明する。
【０１４４】
この発明の実施の形態８である単環縫いボタン付けミシンは、図２６〜図２８に示す発明の実施の形態５の機構のうち、Ｌ型レバー１３０、ばね１３１、リンク１３３、Ｌ型リンク１３４、皿浮かしリンク１３５及びガイド板１３７が連結されて構成されている前記機構が設けられておらず、また、カム７０も設けられていない機構である。
【０１４５】
そして、これらの部材に代えて、この発明の実施の形態８の構成上の特徴は、前後送りカム４３及び（又は）左右送りカム４４形状にある（以上の機構の図示は省略する）。
【０１４６】
すなわち、前記発明の実施の形態４の説明中でも指摘したように、ボタン付けミシンでは縫製パターンへの変更は、前後送りカム４３のカム溝４３ａ及び（又は）左右送りカム４４のカム溝４４ａの形状を変更することで行えることは周知のとおりである。
【０１４７】
図４５は、従来のコ字形の縫製パターンを形成する場合の縫目形状と針落ち順序を示すものである。従来より、前後送りカム４３によりボタンクランプ５０を矢示Ｘ方向に駆動し、左右送りカム４４によりボタンクランプ５０を矢示Ｙ方向に駆動することで（図１、図２参照）、ボタン１２１をＸ−Ｙ方向に駆動しつつ針落ちして、コ字形の縫製パターンの縫目を形成している。
【０１４８】
これに対し、この発明の実施の形態８では、カム溝４３ａ及び（又は）カム溝４４ａの形状の選択により、図４６に示すように針落ちして縫目を形成し、従来のコ字形に対して逆コ字形ともいうべき縫製パターンを形成している。なお、図４５、図４６において符号１、２、３、…、１６は、針落ちの順番を示すものである（以下では、前記発明の実施の形態４と同様、これをＮｏ．１、Ｎｏ．２、Ｎｏ．３、…、Ｎｏ．１６のように表記する）。
【０１４９】
次に、作用について説明する。
【０１５０】
以下では、図４６に示すような縫目を形成することで、如何にして結び目が形成されるかを段階を追って説明する。
【０１５１】
そのまえに、比較例として図４５に示す従来のコ字形の縫目を形成する場合の結び目の形成を段階を追って説明する。図４７〜図５５は、この図番順に従来の結び目の形成を過程を段階を追って示すもので、いずれも、（Ａ）は断面図、（Ｂ）は斜視図である。
【０１５２】
まず、最終針の２針前（Ｎｏ．１４）に針６３が最も上昇した位置での縫いの状態が図４７である。符号１２２ａは最終針の２針前の針落ちによる針糸１２２をルーパ３２が捕捉した第１の糸ループである。次に、最終針の１針前の針落ち位置（別のボタンホール）上に針が移動して（図４８）、最終針の１針前の針落ち（Ｎｏ．１５）がなされ、この針糸１２２をルーパ３２が捕捉し始め、また、糸寄せ１１４が移動して第１の糸ループ１２２ａを糸寄せする（図４９）。
【０１５３】
その後、針６３は上昇し、糸寄せ１１４が第１の糸ループ１２２ａから離れ、ルーパ３２が糸１２２を捕捉して第１の糸ループ１２２ａにくぐらせて第２の糸ループ１２２ｂを形成し、第１の糸ループはルーパ３２から離脱し、針６３は上昇する（図５０）。
【０１５４】
そして、最終針（Ｎｏ．１６）が１針前の針落ちボタンホールと同一のボタンホールに落ち始め、第２の糸ループ１２２ｂを糸寄せ１１４が片側に寄せ、ルーパ３２が針糸１２２を捕捉し始める（図５１）。次に、ルーパ３２が針糸１２２を第２のループ１２２ｂにくぐらせ始め、糸寄せ１１４は第２のループ１２２ｂから離れる（図５２）。これにより、第２の糸ループ１２２ｂをくぐった第３の糸ループ１２２ｃが形成される（図５３）。
【０１５５】
そして、針６３は上昇し、第３のループ１２２ｃが引き下げられる（図５４）。この従来の結び目の形成では、第３の糸ループ１２２ｃとともに第１の糸ループ１２２ａも牽引されて第２の糸ループ１２２ｂをくぐることはない。このまま第３の糸ループ１２２ｃを引き下げ（図５５）、第３の糸ループ１２２ｃが動メス９３、固定メス９４により切断されて結び目が形成される。
【０１５６】
図４６に示す逆コ字形の縫目を形成する場合の結び目の形成を段階を追って説明する。図５６〜図６４は、この図番順に従来の結び目の形成を過程を段階を追って示すもので、いずれも、（Ａ）は断面図、（Ｂ）は斜視図である。
【０１５７】
まず、最終針の２針前（Ｎｏ．１４〔前記の比較例のＮｏ．１５、Ｎｏ．１６のボタンホール〕）に針６３が最も上昇した位置での縫いの状態が図５６（前記図４７に対応）である。符号１２２ａは最終針の２針前の針落ちによる針糸１２２をルーパ３２が捕捉した第１の糸ループである。次に、最終針の１針前の針落ち位置（別のボタンホール〔前記の比較例のＮｏ．１４のボタンホール〕）上に針が移動して（図５７〔前記図４８に対応〕）、最終針の１針前の針落ち（Ｎｏ．１５）がなされ、この針糸１２２をルーパ３２が捕捉し始め、また、糸寄せ１１４が移動して第１の糸ループ１２２ａを糸寄せする（図５８〔前記図４９に対応〕）。
【０１５８】
この発明の実施の形態８では、Ｎｏ．１５及びＮｏ．１６とＮｏ．１４とでは針落ちするボタンホールが入れ替わっている。しかし、ルーパ３２の回転方向や糸寄せ１１４の移動の経路と方向（ルーパ３２の回転方向により定まる）は比較例と同一である。
【０１５９】
これにより、最終針の２針前の針落ち位置（Ｎｏ．１４）側から最終針の１針前の針落ち位置（Ｎｏ．１５）側に糸寄せ１１４を移動して、第１の糸ループ１２２ａを糸寄せしている。また、回転式ルーパ３２も最終針の２針前の針落ち位置（Ｎｏ．１４）側から最終針の１針前の針落ち位置（Ｎｏ．１５）側へと針糸１２２を捕捉して第２の糸ループ１２２ｂを形成する。これらは何れも従来とは逆方向の動作である。
【０１６０】
かかる動作としたことにより、糸寄せ動作前の糸寄せ１１４の位置が、前記の比較例の場合より第１の糸ループ１２２ａに近くなる（特に図５７、図４８参照）ため、最終針から２針前の針落ち位置（Ｎｏ．１４）と糸寄せの際の糸寄せ１１４との間隔が前記の比較例より大きくなり（図５８、図４９参照）、第１の糸ループ１２２ａは前記比較例の場合より大きく形成される。
【０１６１】
その後、針６３は上昇し、糸寄せ１１４が第１の糸ループ１２２ａから離れ、ルーパ３２が糸１２２を捕捉して第１の糸ループ１２２ａにくぐらせて第２の糸ループ１２２ｂを形成し、第１の糸ループ１２２ａはルーパ３２から離脱し、針６３は上昇する（図５９〔前記図５０に対応〕）。
【０１６２】
そして、最終針（Ｎｏ．１６）が１針前の針落ち（Ｎｏ．１５）がなされたボタンホールと同一のボタンホール（前記の比較例のＮｏ．１４のボタンホール）に落ち始め、第２の糸ループ１２２ｂを糸寄せ１１４が片側に寄せ、ルーパ３２が針糸１２２を捕捉し始める（図６０〔前記図５１に対応〕）。次に、ルーパ３２が針糸１２２を第２のループ１２２ｂにくぐらせ始め、糸寄せ１１４は第２のループ１２２ｂから離れる（図６１〔前記図５２に対応〕）。これにより、第２の糸ループ１２２ｂをくぐった第３の糸ループ１２２ｃが形成される（図６２〔前記図５３に対応〕）。
【０１６３】
そして、針６３は上昇し、第３のループ１２２ｃが引き下げられる（図６３〔前記図５４に対応〕）。前記のように、第２の糸ループ１２２ｂ部分の糸長さが従来より長いため、第２の糸ループ１２２ｂにはゆとりがあり、第３の糸ループ１２２ｃとともに第１の糸ループ１２２ａの端部１２２ａ１も牽引されて第２の糸ループ１２２ｂをくぐる（図６４〔前記図５５に対応〕）。このまま第３の糸ループ１２２ｃを引き下げ、第３の糸ループ１２２ｃが動メス９３、固定メス９４により切断されると、第１の糸ループ１２２ａの端部１２２ａ１が第２の糸ループ１２２ｂが形成する結び目部分１２２ｂ１により締結された結び目を形成することができる（図１３参照）。
【０１６４】
この発明の実施の形態８では、前記発明の実施の形態１における糸掛部７８とその駆動機構のような特別の機構を要せず、既存の部材である前後送りカム４３及び（又は）左右送りカム４４のカム溝４３ａ及び（又は）カム溝４４ａのカム形状を変更するだけで、図１３に示す結び目を簡易な手段で形成することができる。
【０１６５】
〔発明の実施の形態９〕
まず、構成について説明する。
【０１６６】
この発明の実施の形態９である単環縫いボタン付けミシンは、図２６〜図２８に示す発明の実施の形態５の機構のうち、Ｌ型レバー１３０、ばね１３１、リンク１３３、Ｌ型リンク１３４、皿浮かしリンク１３５及びガイド板１３７が連結されて構成されている前記機構が設けられておらず、また、カム７０も設けられていない機構である。
【０１６７】
そして、これらの部材に代えて、この発明の実施の形態９の構成上の特徴は、第１に、回転式ルーパ３２を従来のものとは左右対象の形状に形成し（以下の説明では「回転式ルーパ３２ａ」と表記する）、従来とは反対の方向に回転する機構としている点にある。回転方向を反対にするには、はすば歯車１５及びはすば歯車３０（図１、図２６、前記発明の実施形態１の説明参照）の歯車形状の変更により可能となる（図示省略）。
【０１６８】
第２に、糸寄せ１１４の配置位置や動作方向は、回転式ルーパ３２の回転方向により定まるものであり、糸寄せ１１４の配置位置や動作方向が従来とは左右対象になっている点にある。配置位置や動作方向を従来とは左右対象にするには、糸寄せ１１４の配置位置の変更や、外周カム１１０及び（又は）溝カム１１１（図１、図２６、前記発明の実施形態１の説明参照）のカム形状の変更により可能となる（図示省略）。
【０１６９】
次に、作用について説明する。
【０１７０】
この単環縫いボタン付けミシンの縫目形状は図４５に示すコ字形であり、針落ちの順序も同様である。しかし、結び目の形成における各部材の動作や形成される結び目は従来のものと異なるので、この発明の実施の形態９においても、対応する前記比較例の図（前記発明の実施の形態８で説明した図４７〜図５５）を指摘しつつ説明する。図６５〜図７３は、この図番順に従来の結び目の形成を過程を段階を追って示すもので、いずれも、（Ａ）は断面図、（Ｂ）は斜視図である。
【０１７１】
まず、最終針の２針前に針６３が最も上昇した位置での縫いの状態が図６５（前記図４７に対応）である。符号１２２ａは最終針の２針前の針落ち（図４５のＮｏ．１４）による針糸１２２をルーパ３２ａが捕捉した第１の糸ループ１２２ａである。次に、最終針の１針前の針落ち位置（別のボタンホール）上に針が移動して（図６６〔前記図４８に対応〕）、最終針の１針前の針落ち（図４５のＮｏ．１５）がなされ、針糸１２２をルーパ３２ａが捕捉し始め、また、糸寄せ１１４が従来とは逆方向に移動して第１の糸ループ１２２ａを糸寄せする（図６７〔前記図４９に対応〕）。
【０１７２】
この発明の実施の形態９では、Ｎｏ．１４、Ｎｏ．１５及びＮｏ．１６の針落ちのボタンホールは従来と同様であるが、ルーパ３２ａの形状とその回転方向、糸寄せ１１４の配置位置と移動方向が従来のものと逆になっている。
【０１７３】
これにより、最終針の１針前の針落ち位置（Ｎｏ．１５）側から最終針の２針前の針落ち位置（Ｎｏ．１４）側に糸寄せ１１４を移動して、第１の糸ループ１２２ａを糸寄せしている。また、回転式ルーパ３２も最終針の１針前の針落ち位置（Ｎｏ．１５）側から最終針の２針前の針落ち位置（Ｎｏ．１４）側へと針糸１２２を捕捉して第２の糸ループ１２２ｂを形成する。これは従来とは逆方向の動作である。
【０１７４】
かかる動作としたことにより、糸寄せ動作前の糸寄せ１１４の位置が、前記の比較例の場合より第１の糸ループ１２２ａに近くなる（特に図６６、図４８参照）ため、最終針から２針前の針落ち位置（Ｎｏ．１４）と糸寄せの際の糸寄せ１１４との間隔が前記の比較例より大きくなり（特に図６７、図４９参照）、第１の糸ループ１２２ａが前記比較例の場合より大きく形成される。
【０１７５】
その後、針６３は上昇し、糸寄せ１１４が第１の糸ループ１２２ａから離れ、ルーパ３２ａが糸１２２を捕捉して第１の糸ループ１２２ａにくぐらせて第２の糸ループ１２２ｂを形成し、第１の糸ループはルーパ３２ａから離脱し、針６３は上昇する（図６８〔前記図５０に対応〕）。
【０１７６】
そして、最終針（Ｎｏ．１６）が１針前の針落ち（Ｎｏ．１５）と同一のボタンホールに落ち始め、第２の糸ループ１２２ｂを糸寄せ１１４が従来とは反対側である片側に寄せ、ルーパ３２ａが針糸１２２を捕捉し始める（図６９〔前記図５１に対応〕）。次に、ルーパ３２ａが針糸１２２を第２のループ１２２ｂにくぐらせ始め、糸寄せ１１４は第２のループ１２２ｂから離れる（図７０〔前記図５２に対応〕）。これにより、第２の糸ループ１２２ｂをくぐった第３の糸ループ１２２ｃが形成される（図７１〔前記図５３に対応〕）。
【０１７７】
そして、針６３は上昇し、第３のループ１２２ｃが引き下げられる（図７２〔前記図５４に対応〕）。前記のように、第１の糸ループ１２２ａ部分の糸長さが従来より長いため、第２の糸ループ１２２ｂにはゆとりができ、第３の糸ループ１２２ｃとともに第１の糸ループ１２２ａの端部１２２ａ１も牽引されて第２の糸ループ１２２ｂをくぐる（図７３〔前記図５５に対応〕）。このまま第３の糸ループ１２２ｃを引き下げ、第３の糸ループ１２２ｃが動メス９３、固定メス９４により切断されると、第１の糸ループ１２２ａの端部１２２ａ１が第２の糸ループ１２２ｂが形成する結び目部分１２２ｂ１により締結された結び目を形成することができる（図１３参照）。
【０１７８】
この発明の実施の形態９も、前記発明の実施の形態１における糸掛部７８とその駆動機構のような特別の機構を要せず、既存の部材である、はすば歯車１５及びはすば歯車３０の歯車形状や、外周カム１１０及び（又は）溝カム１１１のカム形状を変更するだけで、図１３に示す結び目を簡易な手段で形成することができる。
【０１７９】
〔発明の実施の形態１０〕
まず、構成について説明する。
【０１８０】
この発明の実施の形態１０の単環縫いボタン付けミシンが前記発明の実施の形態７と構成上相違するのは、図７４、図７５に示すように、前記発明の実施の形態７の図３３〜図３５に示されている機構のうち、回転式ルーパ３２に代えて、糸寄せ１１４の動きを規定する外周カム１１０（図１、図２６、前記発明の実施の形態１の説明参照）を角駒１５９に取り付け、糸寄せ１１４のオフセット運動を可能とした点にある。
【０１８１】
そして、カバー１６０の外周カム１１０側の面からはピン部１６０ａ、１６０ａが延出している。外周カム１１０には長孔１１０ａ、１１０ａが貫通していて、この長孔１１０ａ、１１０ａに前記ピン部１６０ａ、１６０ａが挿通されている。ルーパー取付台１６１には、ねじ孔１６１ａ、１６１ａが形成されていて、ねじ１６１ｂ、１６１ｂにより、ルーパー取付台１６１を前記ピン部１６０ａ、１６０ａに固定している。
【０１８２】
次に、作用について説明する。
【０１８３】
図７６〜図８４を参照して、前記した機構を用いて形成される結び目の形成過程を、段階を追って説明する。図７６〜図８４は、この図番順に結び目の形成を過程を段階を追って示すもので、いずれも、（Ａ）は断面図、（Ｂ）は斜視図である。
【０１８４】
まず、最終針の２針前に針６３が最も上昇した位置での縫いの状態が図７６である。符号１２２ａは最終針の２針前の針落ちによる針糸１２２をルーパ３２が捕捉した第１の糸ループである。次に、最終針の１針前の針落ち位置（別のボタンホール）上に針が移動して（図７７）、最終針の１針前の針落ちがなされ、この針糸１２２をルーパ３２が捕捉し始め、また、糸寄せ１１４が移動して第１の糸ループ１２２ａを糸寄せする（図７８）。
【０１８５】
このとき、前記カム１１０がオフセット運動をして、従来の糸寄せ位置（図７８に想像線で示している糸寄せ１１４、第１の糸ループ１２２ａの位置）より、糸寄せ１１４は大きく片側に寄せられ、最終針から１針前の針落ち位置と糸寄せ１１４との間隔が従来より大きくなり、第１の糸ループ１２２ａは従来より大きくたわんで、従来より大きくゆとりのある糸ループ１２２ａが形成される。
【０１８６】
その後、針６３は上昇し、糸寄せ１１４が第１の糸ループ１２２ａから離れ、ルーパ３２が糸１２２を捕捉して第１の糸ループ１２２ａにくぐらせて第２の糸ループ１２２ｂを形成し、第１の糸ループはルーパ３２から離脱し、針６３は上昇する（図７９）。
【０１８７】
そして、最終針が１針前の針落ちボタンホールと同一のボタンホールに落ち始め、第２の糸ループ１２２ｂを糸寄せ１１４が片側に寄せ、ルーパ３２が針糸１２２を捕捉し始める（図８０）。次に、ルーパ３２が針糸１２２を第２のループ１２２ｂにくぐらせ始め、糸寄せ１１４は第２のループ１２２ｂから離れる（図８１）。これにより、第２の糸ループ１２２ｂをくぐった第３の糸ループ１２２ｃが形成される（図８２）。
【０１８８】
そして、針６３は上昇し、第３のループ１２２ｃが引き下げられる（図８３）。前記のように、第１の糸ループ１２２ａ部分の糸長さが従来より長いため、第２の糸ループ１２２ｂにはゆとりができ、このまま第３の糸ループ１２２ｃを引き下げると、第３の糸ループ１２２ｃとともに第１の糸ループ１２２ａの端部１２２ａ１も牽引されて第２の糸ループ１２２ｂをくぐる（図８４）。第３の糸ループ１２２ｃが動メス９３、固定メス９４により切断されると、第１の糸ループ１２２ａの端部１２２ａ１が第２の糸ループ１２２ｂが形成する結び目部分１２２ｂ１により締結された結び目を形成することができる（図１３参照）。
【０１８９】
なお、言うまでもなく、上記発明の実施の形態１〜１０は、この発明を限定するものではない。いくつかここで説明する。
【０１９０】
上記の各発明の実施の形態では、単環ボタン付けミシンの例で説明したが、直線縫いやボタン孔かがりなどの単環縫い目を形成するミシンにおいても、糸結び板７５による動作を与えてやれば同様の縫目を形成することができる。
【０１９１】
また、上記発明の実施の形態１では、ルーパ３２の回転により、第１の糸ループ１２２ａを第２の糸ループ１２２ｂ内に牽引している。これに代えて、布１２０の下面に設けられるとともに、初期位置と動作位置に移動可能で、第２の糸ループ１２２ｂを手繰ることが可能な先端フック状の手繰り部材により、第２の糸ループ１２２ｂを手繰って第１の糸ループ１２２ａに被せるようにすることも容易に考えられる。
【０１９２】
上記発明の実施の形態１、２及び４における、糸結び板７５による糸手繰り動作は、図１９に示すとおりであるが、糸１２３の矢示１２３α、１２３β又は１２３γのどの位置で糸を手繰ってもよい。また、手繰り方向についても、矢示Ｒ方向に限らず、糸１２３が糸結び板７５の糸掛部７８に係止できるのであれば何れの方向からでもよい。もちろん、回転動作だけでなく、直線的に動作させてもよい。
【０１９３】
糸結び板７５の動作は、上記発明の実施の形態１、２及び４では、カム軸４１に設けた糸結びカム７０にて動作を得、所定のリンク機構で伝達しているが、ワイヤなどで伝達してもよい。また、糸結びカム７０による動作のかわりに電気信号を出力してタイミングをとり、所定のアクチュエータなどにより糸結び板３６を動作させてもよい。
【０１９４】
上記発明の実施の形態１、２、３及び４などでは、糸切りに際して動メス９３、固定メス９４の協動により糸切りを行っているが、縫い終わりの糸を引っ張り、結節部よりちぎって切る方式の糸切りを用いてもよい。
【０１９５】
上記発明の実施の形態７では、前記図３２〜図３５に示す機構を用いて、所定のタイミングでルーパ３２をオフセット運動させて、第１のループ１２２ａのみ、従来より大きくゆとりのあるものとして形成しているが、ルーパ３２をオフセット運動させる機構に三角カムなどを用いて、毎針ごとにルーパ３２をオフセット移動させるようにしてもよい。
【０１９６】
【発明の効果】
請求項１〜請求項１７に記載の発明によれば、容易に糸がほどけることのない結び目を形成できる。
【０１９７】
請求項２又は請求項１７に記載の発明によれば、さらに、結び目は被縫物面から突出せず、結び目が目立たないきれいな縫い上がりとなる。
【０１９８】
請求項１１〜請求項１５に記載の発明によれば、さらに、容易に糸がほどけることのない結び目の形成を簡易な手段で実現できる。
【０１９９】
請求項１６に記載の発明によれば、さらに、請求項３又は請求項４の発明においても、結び目を締結するのに支障がない。
【図面の簡単な説明】
【図１】この発明の実施の形態１にかかる単環縫いボタン付けミシンの斜視図。
【図２】この発明の実施の形態１にかかる単環縫いボタン付けミシンの斜視図。
【図３】この発明の実施の形態１にかかる単環縫いボタン付けミシンのアームの斜視図。
【図４】この発明の実施の形態１における結び目の形成過程を示す図。
【図５】この発明の実施の形態１における結び目の形成過程を示す図。
【図６】この発明の実施の形態１における結び目の形成過程を示す図。
【図７】この発明の実施の形態１における結び目の形成過程を示す図。
【図８】この発明の実施の形態１における結び目の形成過程を示す図。
【図９】この発明の実施の形態１における結び目の形成過程を示す図。
【図１０】この発明の実施の形態１における結び目の形成過程を示す図。
【図１１】この発明の実施の形態１における結び目の形成過程を示す図。
【図１２】この発明の実施の形態１における結び目の形成過程を示す図。
【図１３】この発明の実施の形態１により形成される結び目を示す図。
【図１４】この発明の実施の形態１により形成される結び目を説明する図。
【図１５】この発明の実施の形態１により形成される結び目を説明する図。
【図１６】この発明の実施の形態２における結び目の形成過程を示す図。
【図１７】この発明の実施の形態２における結び目の形成過程を示す図。
【図１８】この発明の実施の形態２における結び目の形成過程を示す図。
【図１９】この発明の実施の形態２における作用を説明する図。
【図２０】この発明の実施の形態２において形成される結び目を示す図。
【図２１】この発明の実施の形態３を説明する図。
【図２２】この発明の実施の形態４を説明する縫製パターンの平面図。
【図２３】この発明の実施の形態４を説明する縫製パターン（パターンＸ）の平面図。
【図２４】この発明の実施の形態４を説明する縫製パターン（パターンＨ）の平面図。
【図２５】この発明の実施の形態４を説明する縫製パターン（パターンＩ）の平面図。
【図２６】この発明の実施の形態５にかかる単環縫いボタン付けミシンの斜視図。
【図２７】この発明の実施の形態５にかかる単環縫いボタン付けミシンの斜視図。
【図２８】この発明の実施の形態５にかかる単環縫いボタン付けミシンの斜視図。
【図２９】この発明の実施の形態５にかかる単環縫いボタン付けミシンの作用を説明する図。
【図３０】この発明の実施の形態６にかかる単環縫いボタン付けミシンの斜視図。
【図３１】この発明の実施の形態６にかかる単環縫いボタン付けミシンの作用を説明する図。
【図３２】この発明の実施の形態７にかかる単環縫いボタン付けミシンの部分斜視図。
【図３３】この発明の実施の形態７にかかる単環縫いボタン付けミシンの部分分解斜視図
【図３４】この発明の実施の形態７にかかる単環縫いボタン付けミシンの部分斜視図。
【図３５】この発明の実施の形態７にかかる単環縫いボタン付けミシンの作用を説明する図。
【図３６】この発明の実施の形態７における結び目の形成過程を示す図。
【図３７】この発明の実施の形態７における結び目の形成過程を示す図。
【図３８】この発明の実施の形態７における結び目の形成過程を示す図。
【図３９】この発明の実施の形態７における結び目の形成過程を示す図。
【図４０】この発明の実施の形態７における結び目の形成過程を示す図。
【図４１】この発明の実施の形態７における結び目の形成過程を示す図。
【図４２】この発明の実施の形態７における結び目の形成過程を示す図。
【図４３】この発明の実施の形態７における結び目の形成過程を示す図。
【図４４】この発明の実施の形態７における結び目の形成過程を示す図。
【図４５】従来のコ字形のボタン縫いの縫目及び針落ち順序を説明する図。
【図４６】この発明の実施の形態８にかかる単環縫いボタン付けミシンのボタン縫いの縫目及び針落ち順序を説明する図。
【図４７】従来の単環縫いボタン付けミシンにおける結び目の形成過程を示す図。
【図４８】従来の単環縫いボタン付けミシンにおける結び目の形成過程を示す図。
【図４９】従来の単環縫いボタン付けミシンにおける結び目の形成過程を示す図。
【図５０】従来の単環縫いボタン付けミシンにおける結び目の形成過程を示す図。
【図５１】従来の単環縫いボタン付けミシンにおける結び目の形成過程を示す図。
【図５２】従来の単環縫いボタン付けミシンにおける結び目の形成過程を示す図。
【図５３】従来の単環縫いボタン付けミシンにおける結び目の形成過程を示す図。
【図５４】従来の単環縫いボタン付けミシンにおける結び目の形成過程を示す図。
【図５５】従来の単環縫いボタン付けミシンにおける結び目の形成過程を示す図。
【図５６】この発明の実施の形態８における結び目の形成過程を示す図。
【図５７】この発明の実施の形態８における結び目の形成過程を示す図。
【図５８】この発明の実施の形態８における結び目の形成過程を示す図。
【図５９】この発明の実施の形態８における結び目の形成過程を示す図。
【図６０】この発明の実施の形態８における結び目の形成過程を示す図。
【図６１】この発明の実施の形態８における結び目の形成過程を示す図。
【図６２】この発明の実施の形態８における結び目の形成過程を示す図。
【図６３】この発明の実施の形態８における結び目の形成過程を示す図。
【図６４】この発明の実施の形態８における結び目の形成過程を示す図。
【図６５】この発明の実施の形態９における結び目の形成過程を示す図。
【図６６】この発明の実施の形態９における結び目の形成過程を示す図。
【図６７】この発明の実施の形態９における結び目の形成過程を示す図。
【図６８】この発明の実施の形態９における結び目の形成過程を示す図。
【図６９】この発明の実施の形態９における結び目の形成過程を示す図。
【図７０】この発明の実施の形態９における結び目の形成過程を示す図。
【図７１】この発明の実施の形態９における結び目の形成過程を示す図。
【図７２】この発明の実施の形態９における結び目の形成過程を示す図。
【図７３】この発明の実施の形態９における結び目の形成過程を示す図。
【図７４】この発明の実施の形態１０にかかる単環縫いボタン付けミシンの部分分解斜視図。
【図７５】この発明の実施の形態１０にかかる単環縫いボタン付けミシンの部分分解斜視図。
【図７６】この発明の実施の形態１０における結び目の形成過程を示す図。
【図７７】この発明の実施の形態１０における結び目の形成過程を示す図。
【図７８】この発明の実施の形態１０における結び目の形成過程を示す図。
【図７９】この発明の実施の形態１０における結び目の形成過程を示す図。
【図８０】この発明の実施の形態１０における結び目の形成過程を示す図。
【図８１】この発明の実施の形態１０における結び目の形成過程を示す図。
【図８２】この発明の実施の形態１０における結び目の形成過程を示す図。
【図８３】この発明の実施の形態１０における結び目の形成過程を示す図。
【図８４】この発明の実施の形態１０における結び目の形成過程を示す図。
【図８５】従来の単環ボタン付けミシンで形成された結び目を示す図。
【図８６】従来の単環ボタン付けミシンで形成された結び目の問題点を説明する図。
【図８７】従来の単環ボタン付けミシンで形成された結び目の問題点を説明する図。
【符号の説明】
１５          はすば歯車（〔請求項１２及び請求項１４の〕間隔調節手段）
３０          はすば歯車（〔請求項１２及び請求項１４の〕間隔調節手段）
３２          回転式ルーパ
３２ａ        回転式ルーパ（〔請求項１２及び請求項１４の〕間隔調節手段）
４３          前後送りカム（針落ち位置調節手段）
４３ａ        カム溝（位置決め手段／〔請求項１１、請求項１２及び請求項１３の〕間隔調節手段）
４４          左右送りカム（針落ち位置調節手段）
４４ａ        カム溝（位置決め手段／〔請求項１１、請求項１２及び請求項１３の〕間隔調節手段）
６３          針
７０          糸結びカム（針落ち位置調節手段）
７５          糸結び板
７８          糸掛け部（糸保持手段）
９３          動メス
９４          固定メス
１０５        糸手繰り腕（糸手繰り手段）
１０８        糸押え装置（糸供給量調節手段／針糸調節手段）
１０９        糸繰出し装置（糸供給量調節手段／針糸調節手段）
１１０        外周カム（〔請求項１１、請求項１２、請求項１４及び請求項１５の〕間隔調節手段）
１１１        溝カム（〔請求項１１、請求項１２及び請求項１５の〕間隔調節手段）
１１４        糸寄せ
１２２        糸
１２２ａ、１２３ｂ    第１の糸ループ
１２２ｂ、１２３ｃ    第２の糸ループ
１２２ｃ、１２３ｄ    第３の糸ループ
１３５        皿浮かしリンク（糸供給量調節手段／針糸調節手段／糸調子調節手段）
１３６        糸調子
１４１        レバー（糸供給量調節手段／針糸調節手段／糸案内調節手段）１４１ｄ      糸案内
１５９        角駒（〔ルーパ位置移動手段／〔請求項８、請求項９、請求項１１及び請求項１５の〕間隔調節手段〕
【図１】
0003731944.tif 000002
【図２】
0003731944.tif 000003
【図３】
0003731944.tif 000004
【図４】
0003731944.tif 000005
【図５】
0003731944.tif 000006
【図６】
0003731944.tif 000007
【図７】
0003731944.tif 000008
【図８】
0003731944.tif 000009
【図９】
0003731944.tif 000010
【図１０】
0003731944.tif 000011
【図１１】
0003731944.tif 000012
【図１２】
0003731944.tif 000013
【図１３】
0003731944.tif 000014
【図１４】
0003731944.tif 000015
【図１５】
0003731944.tif 000016
【図１６】
0003731944.tif 000017
【図１７】
0003731944.tif 000018
【図１８】
0003731944.tif 000019
【図１９】
0003731944.tif 000020
【図２０】
0003731944.tif 000021
【図２１】
0003731944.tif 000022
【図２２】
0003731944.tif 000023
【図２３】
0003731944.tif 000024
【図２４】
0003731944.tif 000025
【図２５】
0003731944.tif 000026
【図２６】
0003731944.tif 000027
【図２７】
0003731944.tif 000028
【図２８】
0003731944.tif 000029
【図２９】
0003731944.tif 000030
【図３０】
0003731944.tif 000031
【図３１】
0003731944.tif 000032
【図３２】
0003731944.tif 000033
【図３３】
0003731944.tif 000034
【図３４】
0003731944.tif 000035
【図３５】
0003731944.tif 000036
【図３６】
0003731944.tif 000037
【図３７】
0003731944.tif 000038
【図３８】
0003731944.tif 000039
【図３９】
0003731944.tif 000040
【図４０】
0003731944.tif 000041
【図４１】
0003731944.tif 000042
【図４２】
0003731944.tif 000043
【図４３】
0003731944.tif 000044
【図４４】
0003731944.tif 000045
【図４５】
0003731944.tif 000046
【図４６】
0003731944.tif 000047
【図４７】
0003731944.tif 000048
【図４８】
0003731944.tif 000049
【図４９】
0003731944.tif 000050
【図５０】
0003731944.tif 000051
【図５１】
0003731944.tif 000052
【図５２】
0003731944.tif 000053
【図５３】
0003731944.tif 000054
【図５４】
0003731944.tif 000055
【図５５】
0003731944.tif 000056
【図５６】
0003731944.tif 000057
【図５７】
0003731944.tif 000058
【図５８】
0003731944.tif 000059
【図５９】
0003731944.tif 000060
【図６０】
0003731944.tif 000061
【図６１】
0003731944.tif 000062
【図６２】
0003731944.tif 000063
【図６３】
0003731944.tif 000064
【図６４】
0003731944.tif 000065
【図６５】
0003731944.tif 000066
【図６６】
0003731944.tif 000067
【図６７】
0003731944.tif 000068
【図６８】
0003731944.tif 000069
【図６９】
0003731944.tif 000070
【図７０】
0003731944.tif 000071
【図７１】
0003731944.tif 000072
【図７２】
0003731944.tif 000073
【図７３】
0003731944.tif 000074
【図７４】
0003731944.tif 000075
【図７５】
0003731944.tif 000076
【図７６】
0003731944.tif 000077
【図７７】
0003731944.tif 000078
【図７８】
0003731944.tif 000079
【図７９】
0003731944.tif 000080
【図８０】
0003731944.tif 000081
【図８１】
0003731944.tif 000082
【図８２】
0003731944.tif 000083
【図８３】
0003731944.tif 000084
【図８４】
0003731944.tif 000085
【図８５】
0003731944.tif 000086
【図８６】
0003731944.tif 000087
【図８７】
0003731944.tif 000088